(57)【要約】      （修正有）【課題】水温と１０度から５０度程度に調整して、凍結を防止して動物がいつでも水を飲めるようにする。【解決手段】凍結防止用台座の中に温度調整機のついた特殊なヒーターを内蔵して、台座の上部の鉄板部分を温めて、その上に載せた鉄製の水入れ容器の飲み水を温めて、凍結を防止して動物がいつでも水を飲めるようにする。またヒーター温度は最高５０度以下に設定しペットの安全を確保するものとする。【選択図】図４
0003112618.tif 000002
【実用新案登録請求の範囲】
【請求項１】
外で飼っている犬やペット類の鉄製の水飲み容器を上に載せて、冬、外気温度零度以下でも凍らないヒーターを内蔵した台座を考案し、飲み水の水温を５０度〜１０度以内に温度調整ができる装置を備えて、ペット類の飲み水の凍結防止とペットが飲みやすい温度設定ができるものとする。
またこのヒーターの特徴は最高温度が５０度以上にならないように新開発したものを使用して、人や子供、ペット類が鉄板に触れても安全な温度を確保するものとする。このヒーターの温度が５０度以上に上がらない安全なヒーターが新開発の特徴で長時間容器の中の水が空になっても火災等の心配もなく安全である。
このヒーター用台座の電気コードをペットたちが損傷を与えないための特製のコードを使用して雨や雪からも防護してペットたちが安全に水を飲めるものとする。
【考案の詳細な説明】
【技術分野】
【０００１】  本考案は、ペット類の水飲み容器及び特殊なヒーターを内蔵した台座をセットにした凍結防止の水飲み容器である。
【背景技術】
【０００２】  一般家庭において外で飼っているペット類で特に犬や小鳥の飲み水が冬の寒さで容器内で凍ってしまって動物たちが水を飲めなくなるという問題があった。
【考案の開示】
【考案が解決しようとする課題】
【０００３】  従来，外で飼っている犬や小鳥等の飲み水は、冬になると外気温度が零度以下になり寒さのために容器内で凍ってしまい、犬やペット等が水を飲めなくなるという前述の欠点を解決しようとするものである。
【課題を解決するための手段】
【０００４】  本考案は、上記目的を解決するために、ヒーターを内蔵した特殊な台座を開発し、水温を５０度から１０度程度に保つように温度調整機が付いた装置である。その台座に水を入れた容器を載せて冬の寒さ（０度以下）でも水の凍結を防止して、犬やペットがいつでも水を飲めるようにした。
またヒーターを内蔵している台座は防水加工をして雨にあたっても機能を保持できるものとする。
電源は家庭用のコンセントを使用し、アダプターで電圧を下げて動物の安全を確保するものとする。
【考案の効果】
【０００５】  上述の様に、本考案の凍結防止の水飲み容器を設置すれば、外で飼っている、犬や小動物、小鳥、鶏等のペット類の飲み水が容器内で冬でも凍らず、いつでも、ペットが水を飲めて動物の健康が保てて大変役立つ。また凍った水を器から取り出す手間が省けて大変便利である。
【考案を実施するための最良の形態】
【０００６】  鉄製の水入れ容器と本考案の最高５０度以下の温度調節機の付いたヒーター内蔵の台座をセットにして使用する。水入れ容器は鉄製のものを使用して熱を台座上部の鉄板の部分から吸収して容器の中の水を温めて凍結を防止する。又，温度調整機で動物の飲み易い水温に設定出来る。水入れ容器は台座に載っているだけなので持ち運びが出来て水の補充やお手入れが簡単である。
また、容器の水が空になってもヒーター温度が最高でも５０度以下の温度設定なので長時間放置しても危険はなく、どこでも安心して使用できる。
【実施例】
【０００７】以下、添付図面に従って一実施例を説明する。
Ａは鉄製の水入れ容器である
Ｂは台座に内臓されたヒーターの上部の鉄板であり、この鉄板が温められてこの部分に鉄製の水入れ容器を載せて水を温めるものである。
Ｃは熱を発するヒーターである。
Ｄは電源コードであり、家庭用電源を利用する。
Ｅはヒーターの熱から台座の本体を守る断熱材である。
Ｆは台座の土台部分と外部全体の図である。
【産業上の利用可能性】この製品を製造することにより企業の発展や活性化に貢献し、また製品化して一般家庭に販売、普及させてペット飼育のより良い生活を提供出来る。
【図面の簡単な説明】
【図１】ヒーター内蔵の台座の上に載せる鉄製の水入れ容器の図である。
【図２】ヒーター内蔵の台座の図である。
【図３】ヒーター内蔵の台座に水入れ容器を載せた図である。
【図４】ヒーター内蔵の台座の断面図である。
【符号の説明】
Ａ・鉄製の水入れ容器の図である。
Ｂ・熱を伝える台座の鉄板部分の図である。
Ｃ・ヒーターを内蔵している台座の図である。
Ｄ・電源スイッチと温度調整機の図である。
Ｅ・ヒーター内蔵の台座の内側の断熱材である。
Ｆ・台座の外側の断面図である。
【図１】
0003112618.tif 000003
【図２】
0003112618.tif 000004
【図３】
0003112618.tif 000005
【図４】
0003112618.tif 000006
【手続補正書】
【提出日】平成17年5月24日(2005.5.24)
【手続補正４】
【補正対象書類名】実用新案登録請求の範囲
【補正対象項目名】全文
【補正方法】変更
【補正の内容】
【実用新案登録請求の範囲】
【請求項１】
防水処理された温度調節機能付きの内蔵ヒータにより加熱される鉄板を上部に配置した台座と、該台座の鉄板に載置する上方開放の水入れ容器とから成ることを特徴としたペット用の水飲み装置。
【請求項２】
鉄板の発熱温度が５０度以下であると共に、外気に放置した場合においても水入れ容器内の飲み水が凍結しない程度の熱容量を有するヒータを用いたことを特徴とする請求項１記載のペット用の水飲み装置。
【請求項３】
鉄板に熱伝導した水入れ容器内の水温が、１０度〜５０度以内になるようにヒータを調節する温度調節機構を有していること特徴とする請求項１、又は２記載のペット用の水飲み装置。
【手続補正５】
【補正対象書類名】明細書
【補正対象項目名】全文
【補正方法】変更
【補正の内容】
【考案の詳細な説明】
【技術分野】
【０００１】
本考案は、犬や小鳥等のペット用の水飲み容器に関し、特に、冬期に屋外で飼う動物に配慮したヒータを備えたペット用の水飲み装置に関する。
【背景技術】
【０００２】
一般家庭において屋外で飼っているペット類の犬や小鳥は、冬期には寒さで容器内の水が凍って水を飲めなくなってしまうという問題があった。
飼い主が居る場合は、凍った水を加熱して溶かすなどして飲み水を与えることはできるが、それでも寒さの厳しい地方では屋外に放置したままでは直ぐに凍ってしまい、その管理は面倒なものであった。
【０００３】
一方、かかる場合を考慮して、できるだけ長時間凍結しないようにするため、飲み水を高温の状態にしてその容器を断熱材等で覆って冷め難くして置くことも一般に行われていた。しかし、この方法においても時間が経てばやはり冷めてしまい、いずれは凍結していまっていた。また、当初に与える飲み水は高温であるため、本能的に暑い飲食物を好まない犬や猫に採っては、やはり好ましいものではないと言う問題があった。
しかして、必要な時に自由に水を飲むことがきないということは、ペットにとって大きなストレスとなるものである。このことは愛玩心の強い飼い主にとっても少なからず心的な影響を及ぼすものであった。
【０００４】
また、ペット用の水入れ容器を、表面にシーズヒータ等を配置した電熱台（例えば，卓上ヒータ、等）を利用することも考えられるが、このような既存の卓上ヒータは本来の使用目的が異なるため、屋外使用には適さず、かつ解凍してその水をペットが飲める水温に保つ様な構造にはなっていないものであった。
【考案の開示】
【考案が解決しようとする課題】
【０００５】
そこで、本考案が解決しようとする課題は、零度以下の外気温にかかわらず、屋外飼育のペットに対して与える飲み水の凍結防止と共に、飲み水の温度を所定時間においてペットが飲み易い温度に保つことにある。
【課題を解決するための手段】
【０００６】
そこで、本考案にかかるペット用の水飲み装置は、上記課題を解決するため、以下のように構成している。
防水処理された温度調節機能付きの内蔵ヒータにより加熱される鉄板を上部に配置した台座と、該台座の鉄板に載置する上方開放の水入れ容器とから成ることを特徴としている。
また、鉄板の発熱温度が５０度以下であると共に、外気に放置した場合においても水入れ容器内の飲み水が凍結しない程度の熱容量を有するヒータを用いたことを特徴としている。
さらに、鉄板に熱伝導した水入れ容器内の水温が、１０度〜５０度以内になるようにヒータを調節する温度調節機構を有していることを特徴としている。
【考案の効果】
【０００７】
本考案は、以上のように構成することにより、以下の効果を奏する。
すなわち、請求項１の構成によれば、犬や小動物、小鳥、鶏等のペット類の飲み水を貯留させた水入れ容器を冬期間、屋外に長時間放置（通常は、このような状態）しておいても飲み水は凍結することなく、何時でも水を飲める状態を維持することができる。
【０００８】
また請求項２の構成によれば、熱伝導により発熱する鉄板の温度が上昇して飲み水が必要以上に高温になったり、また、高温の鉄板に触れてペットやこどもに火傷等の危害が及ぶ恐れを回避することができる。
【０００９】
また請求項３の構成によれば，長時間屋外に放置しておいても長時間飲み水を凍結させることなく液体の状態にして置くことができる。これにより、ペットへ不要なストレスを与えないようにすることができ、ひいては健康配慮にも役立つものである。加えて、残った飲み水が凍結していないため飲み水の交換や容器の洗浄が簡単容易となる附随的効果も期待できる。
【考案を実施するための最良の形態】
【００１０】
次に、本考案の最良の実施形態について、図面に基づき以下に詳細に説明する。
なお、以下に開示するものは、本考案の実施において、最良の形態であるがこの形態に限定するものではなく、同一の目的を持った技術的思想を構成するものである限り、他の形態にしてもよい。また、図面中に付した記号は説明の便宜のためであり、限定的に解するものではない。
【００１１】
Ａは、水入れ容器であり熱伝導効率及び耐久性を考慮して鉄製が好ましい。この水入れ容器Ａは、上方が開放されており、所定量の水を貯留できる容積を持った器状に形成している。その大きさは、対象とするペット類の必要な飲み水量を考慮して適宜に設定される。
水入れ容器Ａは鉄板Ｂの上面に載せ置かれ、その下面にはヒータＣが熱伝導可能にして配設されている。このヒータＣは電源コードＤにより供給される電力により発熱するものである。例えば、シーズヒータ、または電磁誘導加熱コイルなど既存の技術から適宜に選択される。またこのヒータＣには発生温度が最高５０℃以下となるように温度調節機構を付帯させている。この温度調節機構としては、例えば、サーモスタットなどを用いれば良い。ヒータＣは、鉄板Ｂの熱伝達部を除いた下部及び側面部の全体を断熱材Ｅで覆って、台座Ｆに内蔵されている。
【００１２】
またヒータＣを内蔵している台座Ｆの全体は、全体を覆う防水処理が成されており、屋外放置時において、雨水等の浸透により機能低下や故障の防止を図っている。
【００１３】
本願考案は以上ように構成することにより、次の作用と効果を奏する。
すなわち、水入れ容器Ａを台座Ｆの鉄板Ｂの上面に載せ置く（載置）ようにして使用する。また、水入れ容器Ａは鉄製のものを使用しているため、鉄板Ｂからの伝導熱によって水入れ容器Ａ中の水を所望の水温まで温めて凍結を防止している。また、温度調整機構によれば動物の飲み易い水温に設定できる。さらに、水入れ容器Ａは鉄板Ｂに載せているだけなので取り外しが自在となって、持ち運びが容易となり、水の補充やメンテナンスが簡単容易となる。
【００１４】
さらにまた、ヒータ温度が最高でも５０度以下に温度設定しているため、水入れ容器Ａの水が空になって長時間放置しても危険性はなく、どこでも安心して使用できる。
なお、電源は家庭用のコンセントを使用し、アダプターで電圧を下げて火傷などから動物の安全を考慮している。
【産業上の利用可能性】
【００１５】
本考案にかかる製品は、工場生産が可能であり、企業の発展や活性化に貢献する。かつ当該製品は、業務用・家庭用のいずれにおいても使用が可能であり、ペット飼育のより良い生活を提供することができ、産業上の利用性を十分に具備するものである。
【図面の簡単な説明】
【００１６】
【図１】本実施例の水入れ容器を示す斜視図である。
【図２】本実施例の台座を示す斜視図である。
【図３】本実施例の台座に水入れ容器を載せた状態を示す斜視図である。
【図４】本実施例の台座の内部構成を示す断面図である。
【符号の説明】
【００１７】
Ａ  水入れ容器
Ｂ  鉄板
Ｃ  ヒータ
Ｄ  電源コード
Ｅ  断熱材
Ｆ  台座
【手続補正６】
【補正対象書類名】図面
【補正対象項目名】全図
【補正方法】変更
【補正の内容】
【図１】
0003112618.tif 000007
【図２】
0003112618.tif 000008
【図３】
0003112618.tif 000009
【図４】
0003112618.tif 000010